(57)【要約】【課題】両面粘着テープの貼付動作の安定性の向上。【解決手段】本発明は、剥離紙が表面側となるように巻き付けられた状態の両面粘着テープを保持するテープ保持シャフトと、テープ保持シャフトを軸線回りに回転可能に保持するカバー部材と、テープ保持シャフトから巻き出された両面粘着テープが巻回され、両面粘着テープの裏面を対象物に対して貼付できるようにカバー部材内に軸線回りに回転可能に保持された貼付ローラと、両面粘着テープのうちの貼付ローラによって対象物に対して貼付される部位から延びる剥離紙を巻き取るようにカバー部材内に軸線回りに回転可能に保持された巻取ローラと、を備える。貼付ローラが両面粘着テープを対象物に対して貼付する動作は、貼付ローラが対象物の表面上を転がることで実施され、巻取ローラが巻き取る剥離紙の最外周部分は、貼付ローラが両面粘着テープを貼付する動作の際に、対象物の表面上を転がる。【選択図】図１
2015124055.tif 000002
【特許請求の範囲】
【請求項１】
表面に剥離可能な剥離紙が設けられた両面粘着テープを対象物に貼付すると共に剥離紙を剥離して巻き取る両面粘着テープ貼付装置であって、
剥離紙が表面側となるように巻き付けられた状態の両面粘着テープを保持するテープ保持シャフトと、
前記テープ保持シャフトをその軸線回りに回転可能に保持するカバー部材と、
前記テープ保持シャフトに保持された状態から巻き出された前記両面粘着テープがその裏面を外周側として巻回され、当該両面粘着テープの裏面を前記対象物に対して貼付できるように前記カバー部材内にその軸線回りに回転可能に保持された貼付ローラと、
前記両面粘着テープのうちの前記貼付ローラによって前記対象物に対して貼付される部位から延びる剥離紙を巻き取るように、前記カバー部材内にその軸線回りに回転可能に保持された巻取ローラと、
を備え、
前記テープ保持シャフトの軸線と、前記貼付ローラの軸線と、前記巻取ローラの軸線とは、互いに平行であり、
前記貼付ローラが前記両面粘着テープの裏面を前記対象物に対して貼付する動作は、当該貼付ローラが当該対象物の表面上を転がることによって連続的に実施され、
前記巻取ローラが巻き取る剥離紙の最外周部分は、前記貼付ローラが前記両面粘着テープの裏面を前記対象物に対して貼付する動作の際に、当該対象物の表面上を転がるようになっている
ことを特徴とする両面粘着テープ貼付装置。
【請求項２】
前記貼付ローラによって前記対象物に対して貼付される部位から延びる剥離紙の先端部が、前記巻取ローラの外周面に固定されている
ことを特徴とする請求項１に記載の両面粘着テープ貼付装置。
【請求項３】
前記貼付ローラによって前記対象物に対して貼付される部位から延びる剥離紙は、前記部位に対して前記テープ保持シャフト側に設けられた仲介シャフトを介して、前記巻取ローラに巻き取られるようになっている
ことを特徴とする請求項１または２に記載の両面粘着テープ貼付装置。
【請求項４】
前記テープ保持シャフト、前記貼付ローラ、前記仲介シャフト、及び前記巻取ローラは、いずれも、振動吸収用の弾性部材を介して前記カバー部材に支持されている
ことを特徴とする請求項３に記載の両面粘着テープ貼付装置。
【請求項５】
前記カバー部材は、前記対象物に対して、前記貼付ローラが前記両面粘着テープの裏面を前記対象物に対して貼付する位置と、前記両面粘着テープの裏面が前記対象物から離間した位置と、の間で相対的に移動可能に支持されている
ことを特徴とする請求項１乃至４のいずれかに記載の両面粘着テープ貼付装置。
【請求項６】
前記対象物は、その軸線回りに回転可能に支持された円筒状の対象物であり、
前記カバー部材は、前記円筒状の対象物の軸線方向に、相対的に移動可能に支持されている
ことを特徴とする請求項１乃至５のいずれかに記載の両面粘着テープ貼付装置。
【請求項７】
前記貼付ローラが前記両面粘着テープの裏面を前記円筒状の対象物に対して貼付する際に前記貼付ローラと前記円筒状の対象物とが互いに転がり合う速度と、前記カバー部材が前記円筒状の対象物の軸線方向に移動する速度とは、互いに関連付けられている
ことを特徴とする請求項６に記載の両面粘着テープ貼付装置。
【請求項８】
前記カバー部材には、前記対象物に貼付された両面粘着テープを切断するためのカッター部が設けられている
ことを特徴とする請求項１乃至７のいずれかに記載の両面粘着テープ貼付装置。
【請求項９】
前記カバー部材は、前記テープ保持シャフト、前記貼付ローラ及び前記巻取ローラの軸線方向に互いに対して移動することで着脱可能な本体部と蓋部とを有している
ことを特徴とする請求項１乃至８のいずれかに記載の両面粘着テープ貼付装置。
【請求項１０】
前記対象物は、円筒状の芯材であるか、あるいは、円筒状の芯材に巻き付けられたウェブ材料である
ことを特徴とする請求項１乃至９のいずれかに記載の両面粘着テープ貼付装置。
【発明の詳細な説明】
【技術分野】
【０００１】
本発明は、両面粘着テープを貼付する両面粘着テープ貼付装置に関する。
【背景技術】
【０００２】
印刷機などの生産機においては、紙やフィルムなどのウェブ材料を巻き付けるための円筒状の芯材が従来から用いられている。当該芯材には、紙からなる紙管と呼ばれるものや、プラスチック材料からなるプラスチックコアと呼ばれるものなどがある。
【０００３】
当該芯材に、ウェブ材料を巻き付ける場合には、芯材に両面粘着テープを貼付して、当該両面粘着テープにウェブ材料の端部を接着して当該芯材を回転させる。ウェブ材料をウェブ継ぎする場合には、芯材に既に巻き付けられたウェブ材料の端部に両面粘着テープを貼付して、当該両面粘着テープに新たなウェブ材料の端部を接着して当該芯材を回転させる。
【０００４】
特許文献１には、紙管に両面粘着テープを貼付するための両面粘着テープ貼付装置が開示されている。当該両面粘着テープ貼付装置は、表面に剥離可能な剥離紙が設けられた両面粘着テープが巻き付けられた状態で用意されたドラムと、前記ドラムから巻き出された両面粘着テープを紙管に押し付けて貼付する加圧ロールと、紙管の外周面に貼付される両面粘着テープから剥離された剥離紙を巻き取る巻取用ドラムと、を備えている。
【０００５】
より詳しくは、加圧ロールは、ドラムから巻き出された両面粘着テープがその裏面を外周側として巻回され、当該両面粘着テープの裏面を紙管の外周面に対して貼付できるようにその軸線回りに回転可能に保持されており、巻取用ドラムは、加圧ロールによって紙管の外周面に対して貼付される部位から延びる剥離紙を巻き取るように、その軸線回りに回転可能に保持されている。巻取用ドラムは、紙管とは当接しない位置に設けられていて、モータの駆動力によって回転駆動されるようになっている。
【０００６】
当該両面粘着テープ貼付装置では、紙管を軸線方向に移送している間に、加圧ロールを紙管の外周面に押し付けることで、両面粘着テープを紙管の外周面に軸線方向に連続的に貼付することができる。
【先行技術文献】
【特許文献】
【０００７】
【特許文献１】特公平６−７１９７５
【発明の概要】
【発明が解決しようとする課題】
【０００８】
特許文献１の両面粘着テープ貼付装置は、紙管に接する部位が前述した加圧ロールのみであるため、両面粘着テープの貼付動作の安定性が良好ではない。そのため、当該両面粘着テープ貼付装置は、紙管に対する相対移動を高精度に実施しないと、上手く両面粘着テープを貼付できない場合がある。そのため、特許文献１の両面粘着テープ貼付装置は、紙管を軸線方向に移動させるための予め調整された移送装置が必須である。
【０００９】
本発明は、以上の知見に基づいて創案されたものである。本発明の目的は、両面粘着テープの貼付動作の安定性を向上させることができる両面粘着テープ貼付装置を提供することである。
【課題を解決するための手段】
【００１０】
本発明は、表面に剥離可能な剥離紙が設けられた両面粘着テープを対象物に貼付すると共に剥離紙を剥離して巻き取る両面粘着テープ貼付装置であって、剥離紙が表面側となるように巻き付けられた状態の両面粘着テープを保持するテープ保持シャフトと、前記テープ保持シャフトをその軸線回りに回転可能に保持するカバー部材と、前記テープ保持シャフトに保持された状態から巻き出された前記両面粘着テープがその裏面を外周側として巻回され、当該両面粘着テープの裏面を前記対象物に対して貼付できるように前記カバー部材内にその軸線回りに回転可能に保持された貼付ローラと、前記両面粘着テープのうちの前記貼付ローラによって前記対象物に対して貼付される部位から延びる剥離紙を巻き取るように、前記カバー部材内にその軸線回りに回転可能に保持された巻取ローラと、を備え、前記テープ保持シャフトの軸線と、前記貼付ローラの軸線と、前記巻取ローラの軸線とは、互いに平行であり、前記貼付ローラが前記両面粘着テープの裏面を前記対象物に対して貼付する動作は、当該貼付ローラが当該対象物の表面上を転がることによって連続的に実施され、前記巻取ローラが巻き取る剥離紙の最外周部分は、前記貼付ローラが前記両面粘着テープの裏面を前記対象物に対して貼付する動作の際に、当該対象物の表面上を転がるようになっていることを特徴とする両面粘着テープ貼付装置である。
【００１１】
本発明によれば、貼付ローラが両面粘着テープの裏面を対象物に対して貼付する動作の際に、巻取ローラが巻き取る剥離紙の最外周部分が対象物の表面上を転がることで、巻取ローラを独自に駆動させる必要なく、剥離紙を巻き取ることができる。更に、本発明によれば、貼付ローラが両面粘着テープの裏面を対象物に対して貼付する動作の際に、貼付ローラと巻取ローラとがそれぞれ、対象物の表面上を転がるため、両面粘着テープの貼付動作の安定性を向上させることができる。
【００１２】
巻取ローラによる剥離紙の巻き取りの開始のため、前記貼付ローラによって前記対象物に対して貼付される部位から延びる剥離紙の先端部（先端側の一部であれば足りる）は、例えば、前記巻取ローラの外周面に固定される。
【００１３】
また、本発明では、前記貼付ローラによって前記対象物に対して貼付される部位から延びる剥離紙は、前記部位に対して前記テープ保持シャフト側に設けられた仲介シャフトを介して前記巻取ローラに巻き取られるようになっていてもよい。
【００１４】
この場合、テープ保持シャフト、貼付ローラ、及び巻取ローラを、小スペース内に効率良く配置することができる。
【００１５】
また、本発明では、前記テープ保持シャフト、前記貼付ローラ、前記仲介シャフト及び、前記巻取ローラは、いずれも、振動吸収用の弾性部材を介して前記カバー部材に支持されていることが好ましい。
【００１６】
この場合、貼付ローラが両面粘着テープの裏面を対象物に対して貼付する動作の際に生じ得る振動に対して、両面粘着テープの貼付動作の安定性を向上させることができる。
【００１７】
また、本発明では、前記カバー部材は、手動で操作されてもよいが、前記対象物に対して、前記貼付ローラが前記両面粘着テープの裏面を前記対象物に対して貼付する位置と、前記両面粘着テープの裏面が前記対象物から離間した位置と、の間で相対的に移動可能に支持されていてもよい。
【００１８】
この場合、そのような支持機構によってカバー部材を移動させることによって、容易に貼付ローラを対象物に接近及び離反させることができる。
【００１９】
また、本発明では、前記対象物は、その軸線回りに回転可能に支持された円筒状であり、前記カバー部材は、前記円筒状の対象物の軸線方向に、相対的に移動可能に支持されていてもよい。
【００２０】
この場合、そのような支持機構によってカバー部材を移動させることによって、円筒状の対象物の軸線方向に容易に両面粘着テープの貼付が行える。
【００２１】
更に、この場合、前記貼付ローラが前記両面粘着テープの裏面を前記円筒状の対象物に対して貼付する際に前記貼付ローラと前記円筒状の対象物とが互いに転がり合う速度と、前記カバー部材が円筒状の前記対象物の軸線方向に移動する速度とは、互いに関連付けられていてもよい。
【００２２】
この場合、例えば、貼付ローラと円筒状の対象物とが互いに転がり合う速度と、カバー部材が円筒状の対象物の軸線方向に移動する速度とを、所定の値に設定することで、円筒状の対象物に螺旋状に両面粘着テープを容易に貼付することができる。
【００２３】
また、本発明では、前記カバー部材には、前記対象物に貼付された両面粘着テープを切断するためのカッター部が設けられていてもよい。
【００２４】
この場合、対象物に貼付された両面粘着テープを任意の位置で切断することが容易である。
【００２５】
また、本発明では、前記カバー部材は、前記テープ保持シャフト、前記貼付ローラ及び前記巻取ローラの軸線方向に互いに対して移動することで着脱可能な本体部と蓋部とを有していてもよい。
【００２６】
この場合、テープ保持シャフト、貼付ローラ及び巻取ローラ等のメンテナンス作業が容易である。
【００２７】
また、本発明では、前記対象物は、円筒状の芯材であるか、あるいは、円筒状の芯材に巻き付けられたウェブ材料であってもよい。
【発明の効果】
【００２８】
本発明によれば、貼付ローラが両面粘着テープの裏面を対象物に対して貼付する動作の際に、巻取ローラが巻き取る剥離紙の最外周部分が対象物の表面上を転がることで、巻取ローラを独自に駆動させる必要なく、剥離紙を巻き取ることができる。更に、本発明によれば、貼付ローラが両面粘着テープの裏面を対象物に対して貼付する動作の際に、貼付ローラと巻取ローラとがそれぞれ、対象物の表面上を転がるため、両面粘着テープの貼付動作の安定性を向上させることができる。
【図面の簡単な説明】
【００２９】
【図１】本発明の一実施の形態の両面粘着テープ貼付装置の概略透視正面図である。
【図２】図１の両面粘着テープ貼付装置の概略透視斜視図である（但し、簡略化されている）。
【図３】図２の矢印ＩＩＩ方向に見た矢視図である。
【図４】図１の両面粘着テープ貼付装置の貼付動作の一例を説明する図である。
【発明を実施するための形態】
【００３０】
以下に、添付の図面を参照して、本発明の実施の形態を詳細に説明する。図１は本発明の一実施の形態による両面粘着テープ貼付装置１の概略透視正面図であり、図２は両面粘着テープ貼付装置１の概略透視斜視図であり、図３は図２の矢印ＩＩＩ方向に見た矢視図である。本実施の形態による両面粘着テープ貼付装置１は、表面に剥離可能な剥離紙ＲＰが設けられた両面粘着テープＤＳを対象物である円筒状の紙管１００に貼付すると共に剥離紙ＲＰを剥離して巻き取る両面粘着テープ貼付装置である。
【００３１】
図１及び図２に示すように、両面粘着テープ貼付装置１は、剥離紙ＲＰが表面側となるように巻き付けられた状態の両面粘着テープＤＳを保持するテープ保持シャフト１０と、テープ保持シャフト１０をその軸線Ｃ１回りに回転可能に保持するカバー部材２０と、を備えている。
【００３２】
更に、両面粘着テープ貼付装置１は、テープ保持シャフト１０に保持された状態から巻き出された両面粘着テープＤＳがその裏面を外周側として巻回され、当該両面粘着テープＤＳの裏面を紙管１００に対して貼付できるようにカバー部材２０内にその軸線Ｃ２回りに回転可能に保持された貼付ローラ１１と、両面粘着テープＤＳのうちの貼付ローラ１１によって紙管１００に対して貼付される部位から延びる剥離紙ＲＰを巻き取るように、カバー部材２０内にその軸線Ｃ３回りに回転可能に保持された巻取ローラ１２と、両面粘着テープＤＳのうちの貼付ローラ１１によって紙管１００に対して貼付される部位から延びる剥離紙ＲＰを巻取ローラ１２に向けて案内するように、カバー部材２０内にその軸線Ｃ４回りに回転可能に保持された仲介シャフト１３と、を備えている。
【００３３】
図１に示すように、テープ保持シャフト１０の軸線Ｃ１と、貼付ローラ１１の軸線Ｃ２と、巻取ローラ１２の軸線Ｃ３と、仲介シャフト１３の軸線Ｃ４とは、互いに平行となっている。
【００３４】
当該両面粘着テープ貼付装置１では、貼付ローラ１１が両面粘着テープＤＳの裏面を紙管１００に対して貼付する動作が、貼付ローラ１１が紙管１００の表面上を転がることによって、換言すれば本実施の形態では貼付ローラ１１と紙管１００とが互いに転がり合うことによって、連続的に実施されるようになっている。また、巻取ローラ１２が巻き取る剥離紙ＲＰの最外周部分が、貼付ローラ１１が両面粘着テープＤＳの裏面を紙管１００に対して貼付する動作の際に、当該紙管１００の表面上を転がる、換言すれば本実施の形態では紙管１００に対して互いに転がり合うようになっている。以下、本実施の形態の両面粘着テープ貼付装置１の構成要素について詳細に説明する。
【００３５】
本実施の形態におけるカバー部材２０は、下側が開放されている箱体である。具体的には、カバー部材２０は、図１及び図２に示すように、互いに対向し合う台形形状の一対の正面壁及び後面壁と、互いに対して傾斜した状態で向かい合う長方形形状の一対の左側壁及び右側壁と、天井壁と、を有している。テープ保持シャフト１０と、貼付ローラ１１と、巻取ローラ１２と、仲介シャフト１３とは、カバー部材２０の正面壁と後面壁との間に、それらに対して各軸線が垂直方向に延びるように配置されている。
【００３６】
図２に示すように、カバー部材２０の正面壁及び後面壁の各略中央領域においてテープ保持シャフト１０の軸線Ｃ１方向における両端部に対応する部位には、第１軸受部２１が設けられている。第１軸受部２１は、それぞれ上下方向に延在して対向する一対の左右辺部と、当該一対の左右辺部の下端を連結させる底部と、当該一対の左右辺部及び当該底部によって囲まれた上側に開放するコ字状の領域内に設けられた軸受本体部（不図示）と、を有している。テープ保持シャフト１０の両端部は、前記軸受本体部に回転可能に支持されている。
【００３７】
第１軸受部２１の一対の左右辺部の上端をカバー部材２０の正面壁ないし後面壁に支持させるために、弾性変形可能な弾性部材である帯状に形成された第１板ばね２２が設けられている。第１板ばね２２が、テープ保持シャフト１０の第１軸受部２１からの脱落を防止しつつ、テープ保持シャフト１０が振動する際に弾性変形することで当該テープ保持シャフト１０の振動を吸収するようになっている。
【００３８】
テープ保持シャフト１０は、その軸線Ｃ１方向における中央部において、剥離紙ＲＰが表面側となるように巻き付けられた状態の両面粘着テープＤＳを保持することが可能となっている。本実施の形態では、巻き付けられた状態の両面粘着テープＤＳは、中心部に貫通孔を有する環状に形成されている。そして、テープ保持シャフト１０を両面粘着テープＤＳの前記貫通孔に挿通させることで、テープ保持シャフト１０は、両面粘着テープＤＳを保持することが可能となっている。保持状態の両面粘着テープＤＳは、テープ保持シャフト１０に対して相対回転しないようになっていることが好ましい。
【００３９】
図２に示すように、貼付ローラ１１は、軸線Ｃ２方向に沿って両側に突出する軸部１１Ａを一体的に有しており、カバー部材２０の正面壁及び後面壁の各左方下側の領域において貼付ローラ１１の軸部１１Ａにおける両端部に対応する部位には、第２軸受部２３が設けられている。第２軸受部２３は、第１軸受部２１と同様に、それぞれ上下方向に延在して対向する一対の左右辺部と、当該一対の左右辺部の下端を連結させる底部と、当該一対の左右辺部及び当該底部によって囲まれた上側に開放するコ字状の領域内に設けられた軸受本体部（不図示）と、を有している。貼付ローラ１１の軸部１１Ａの両端部は、前記軸受本体部に回転可能に支持されている。
【００４０】
第２軸受部２３の一対の左右辺部の上端をカバー部材２０の正面壁ないし後面壁に支持させるために、弾性変形可能な弾性部材である帯状に形成された第２板ばね２４が設けられている。第２板ばね２４が、貼付ローラ１１の軸部１１Ａの第２軸受部２３からの脱落を防止しつつ、貼付ローラ１１が振動する際に弾性変形することで当該貼付ローラ１１の振動を吸収するようになっている。
【００４１】
貼付ローラ１１は、その軸線Ｃ２方向における中央部において、テープ保持シャフト１０に保持された状態から巻き出された両面粘着テープＤＳがその裏面を外周側として巻回されるようになっており、当該巻回される両面粘着テープＤＳを介して紙管１００に接触することで、紙管１００に両面粘着テープＤＳを貼付できるようになっている。そして、貼付ローラ１１は、両面粘着テープＤＳのうちの当該貼付ローラ１１によって紙管１００に対して貼付される部位から延びる（剥離された）剥離紙ＲＰが、当該貼付ローラ１１よりも上側に配置された仲介シャフト１３に案内されるように、仲介シャフト１３側に向けて更に巻回されるようになっている。
【００４２】
図２に示すように、カバー部材２０の正面壁及び後面壁の各略中央領域よりも上方の領域において仲介シャフト１３における両端部に対応する部位には、第４軸受部２７が設けられている。第４軸受部２７は、第１軸受部２１及び第２軸受部２３と同様に、それぞれ上下方向に延在して対向する一対の左右辺部と、当該一対の左右辺部の下端を連結させる底部と、当該一対の左右辺部及び当該底部によって囲まれた上側に開放するコ字状の領域内に設けられた軸受本体部（不図示）と、を有している。仲介シャフト１３の両端部は、前記軸受本体部に回転可能に支持されている。
【００４３】
仲介シャフト１３の一対の左右辺部の上端をカバー部材２０の正面壁ないし後面壁に支持させるために、弾性変形可能な弾性部材である帯状に形成された第４板ばね２８が設けられている。第４板ばね２８が、仲介シャフト１３の第４軸受部２７からの脱落を防止しつつ、仲介シャフト１３が振動する際に弾性変形することで当該仲介シャフト１３の振動を吸収するようになっている。
【００４４】
仲介シャフト１３は、貼付ローラ１１から延びる（剥離された）剥離紙ＲＰが当該仲介シャフト１３よりも下側に配置された巻取ローラ１２に案内されるように、当該剥離紙ＲＰが巻取ローラ１２側に向けて巻回されるようになっている。
【００４５】
図２に示すように、巻取ローラ１２は、軸線Ｃ３方向に沿って両側に突出する軸部１２Ａを一体的に有しており、カバー部材２０の正面壁及び後面壁の右方下側の領域において巻取ローラ１２の軸部１２Ａにおける両端部に対応する部位には、第３軸受部２５が設けられている。第３軸受部２５は、第１軸受部２１、第２軸受部２３及び第４軸受部２７と同様に、それぞれ上下方向に延在して対向する一対の左右辺部と、当該一対の左右辺部の下端を連結させる底部と、当該一対の左右辺部及び当該底部によって囲まれた上側に開放するコ字状の領域内に設けられた軸受本体部（不図示）と、を有している。巻取ローラ１２の軸部１２Ａは、前記軸受本体部に回転可能に支持されている。
【００４６】
第３軸受部２５の一対の左右辺部の上端をカバー部材２０の正面壁ないし後面壁に支持させるために、弾性変形可能な弾性部材である帯状に形成された第３板ばね２６が設けられている。第３板ばね２６が、巻取ローラ１２の第３軸受け部２５からの脱落を防止しつつ、巻取ローラ１２が振動する際に弾性変形することで当該巻取ローラ１２の振動を吸収するようになっている。
【００４７】
また、図２に示すように、本実施の形態では、巻取ローラ１２の外周面に、両面粘着テープＤＳのうちの貼付ローラ１１によって紙管１００に対して貼付される部位から延びる剥離紙ＲＰの先端部（先端側の一部であればよい）を固定するための固定孔１２Ｂが設けられている。そして、巻取ローラ１２による剥離紙ＲＰの巻き取りの開始に際しては、前記剥離紙ＲＰの先端部が固定孔１２Ｂに挿入されて固定される。図１及び図２には、前記剥離紙ＲＰの先端部が固定孔１２Ｂに挿入されて固定されている状態が示されている。
【００４８】
なお、図１及び図２に示すように、カバー部材２０は、テープ保持シャフト１０、貼付ローラ１１、巻取ローラ１２及び仲介シャフト１３を上側及び前後左右において覆うような大きさに形成されている。そして、貼付ローラ１１及び巻取ローラ１２の下方部は、カバー部材２０の下端縁から露出している。これにより、当該貼付ローラ１１及び巻取ローラ１２の下方部が、それぞれ紙管１００に当接することが可能となっている。
【００４９】
また、カバー部材２０の下端縁における貼付ローラ１１と対向する部位（左側壁の下端縁）には、紙管１００に貼付された両面粘着テープＤＳを切断するためのカッター部４０が、下側（紙管１００側）に刃先を向けて設けられている。また、本実施の形態のカバー部材２０は、テープ保持シャフト１０、貼付ローラ１１、巻取ローラ１２及び仲介シャフト１３の軸線方向に互いに対して移動することで着脱可能な本体部２０Ａと蓋部２０Ｂとを有している。本体部２０Ａと蓋部２０Ｂとの着脱ラインＬ１は、テープ保持シャフト１０、貼付ローラ１１、巻取ローラ１２及び仲介シャフト１３の軸線方向に直交する面上に設定されている。また、カバー部材２０の天井壁には、作業者が把持することが可能なハンドル４１が設けられている。
【００５０】
また、図２及び図３に示すように、本実施の形態では、カバー部材２０と巻取ローラ１２との間に、巻取ローラ１２が剥離紙ＲＰを巻き取る方向に回転することを許容する一方、その反対方向の回転を制限する回り止め機構５０が設けられている。本実施の形態の回り止め機構５０は、巻取ローラ１２の軸線Ｃ３方向における一端面と当該一端面から突出する軸部１２Ａの外周面との間に跨がり、軸線Ｃ３の周方向に等間隔を空けて複数形成された被係止部５１と、カバー部材２０の対応する内壁面から被係止部５１側に延び、被係止部５１に近づくに従い巻取ローラ１２が剥離紙ＲＰを巻き取る方向に湾曲して、その先端部が被係止部５１に軸線Ｃ３の周方向に対向するようになっている弾性材料からなる回り止め爪５２と、から構成されている。
【００５１】
次に、本実施の形態による両面粘着テープ貼付装置１の作用について説明する。
まず、両面粘着テープ貼付装置１を、貼付ローラ１１が紙管１００に両面粘着テープＤＳを連続的に貼付することができる状態に準備する。すなわち、まず、テープ保持シャフト１０に、剥離紙ＲＰが表面側となるように巻き付けられた状態の両面粘着テープＤＳを保持させる。次に、両面粘着テープＤＳから剥離紙ＲＰを巻き出して、剥離紙ＲＰを両面粘着テープＤＳの先端部から剥離しつつ、当該両面粘着テープＤＳの先端部を切断して、剥離紙ＲＰの先端部のみが両面粘着テープＤＳの切断後の新たな先端部から所定の長さだけ延びるように調整する。そして、当該剥離紙ＲＰの先端部を貼付ローラ１１に巻回し、仲介シャフト１３に巻回し、巻取ローラ１２の固定孔１２Ｂに固定させる。そして、貼付ローラ１１における紙管１００との接触予定位置、つまり、貼付ローラ１１の下方部に、前記両面粘着テープＤＳの新たな先端部（粘着性のある裏面の始点）が位置するように巻取ローラ１２の回転位置等を調整して、準備が完了する。
【００５２】
続いて、貼付ローラ１１が紙管１００に両面粘着テープＤＳを連続的に貼付する動作について説明する。図４は、両面粘着テープ貼付装置１の貼付動作の一例を説明する図である。図１及び図４に示すように、本実施の形態では、作業者がハンドル４１を把持してカバー部材２０を操作し、貼付ローラ１１の下方部が両面粘着テープＤＳを介して紙管１００に接すると共に、巻取ローラ１２の下方部も剥離紙ＲＰを介して（最初の状態では剥離紙ＲＰを介さないこともあり得る）紙管１００に接する状態とされる。ここで、図４に示すように、貼付ローラ１１及び巻取ローラ１２の回転方向（径方向）が紙管１００の径方向に対して角度θだけ傾斜する位置姿勢で、カバー部材２０が作業者によって支持される。
【００５３】
そして、この状態から、紙管１００を回転させることによって、貼付ローラ１１と紙管１００とが互いに転がり合うとともに、巻取ローラ１２が巻き取る剥離紙ＲＰの最外周部分と紙管１００とも互いに転がり合う。これに伴い、貼付ローラ１１によって紙管１００に両面粘着テープＤＳが連続的に貼付される。また、巻取ローラ１２によって剥離紙ＲＰが連続的に巻き取られる。図４に示すように、貼付ローラ１１及び巻取ローラ１２の回転方向（径方向）が紙管１００の径方向に対して傾斜する状態とされれば、紙管１００に両面粘着テープＤＳが螺旋状に貼付される。
【００５４】
以上のように、本実施の形態による両面粘着テープ貼付装置１によれば、貼付ローラ１１が両面粘着テープＤＳの裏面を紙管１００に対して貼付する動作の際に、巻取ローラ１２が巻き取る剥離紙ＲＰの最外周部分が紙管１００の表面上を転がることで、巻取ローラ１２を独自に駆動させる必要なく、剥離紙ＲＰを巻き取ることができる。更に、貼付ローラ１１が両面粘着テープＤＳの裏面を紙管１００に対して貼付する動作の際に、貼付ローラ１１と巻取ローラ１２とがそれぞれ、紙管１００の表面上を転がるため、両面粘着テープＤＳの貼付動作の安定性を向上させることができる。
【００５５】
また、本実施の形態では、両面粘着テープＤＳのうちの貼付ローラ１１によって紙管１００に対して貼付される部位から延びる剥離紙ＲＰは、前記部位に対してテープ保持シャフト１０側に設けられた仲介シャフト１３を介して巻取ローラ１２に巻き取られるようになっている。これにより、テープ保持シャフト１０、貼付ローラ１１及び巻取ローラ１２を、カバー部材２０内における小スペース内に効率良く配置することができる。具体的に、本実施の形態では、テープ保持シャフト１０の上方に仲介シャフト１３が配置され、テープ保持シャフト１０の左方下側に貼付ローラ１１が配置され、テープ保持シャフト１０の右方下側に巻取ローラ１２が配置されることで、これらが小スペース内に集約されている。
【００５６】
また、本実施の形態では、テープ保持シャフト１０、貼付ローラ１１、仲介シャフト１３及び巻取ローラ１２は、いずれも、振動吸収用の弾性部材である板ばね２２，２４，２６，２８を介してカバー部材２０に支持されている。これにより、貼付ローラ１１が両面粘着テープＤＳの裏面を紙管１００に対して貼付する動作の際に生じ得る振動に対して、両面粘着テープＤＳの貼付動作の安定性を向上させることができる。
【００５７】
また、本実施の形態では、カバー部材２０に、紙管１００に貼付された両面粘着テープＤＳを切断するためのカッター部４０が設けられているため、紙管１００に貼付された両面粘着テープＤＳを任意の位置で切断することが容易である。
【００５８】
さらに、本実施の形態では、カバー部材２０は、テープ保持シャフト１０、貼付ローラ１１及び巻取ローラ１２の軸線方向に互いに対して移動することで着脱可能な本体部２０Ａと蓋部２０Ｂとを有しているため、テープ保持シャフト１０、貼付ローラ１１及び巻取ローラ１２等のメンテナンス作業が容易である。
【００５９】
また、本実施の形態では、回り止め機構５０が設けられている。これによって、巻取ローラ１２が剥離紙ＲＰを巻き取る方向に回転する際には、回り止め機構５０の回り止め爪５２がカバー部材２０側に撓むことで被係止部５１が回り止め爪５２を乗り上がるため、巻取ローラ１２の剥離紙ＲＰを巻き取る方向への回転を阻害することはない。一方、巻取ローラ１２が剥離紙ＲＰを巻き取る方向の反対方向に回転する際には、回り止め機構５０の被係止部５１が回り止め爪５２に当接するため、当該方向の回転は制限される。これにより、剥離紙ＲＰの緩みが防止されている。
【００６０】
なお、以上に説明した実施の形態では、カバー部材２０がハンドル４１を介して手動で操作されている。しかしながら、カバー部材２０が、紙管１００に対して、貼付ローラ１１が両面粘着テープＤＳの裏面を紙管１００に対して貼付する位置と、両面粘着テープＤＳの裏面が紙管１００から離間した位置と、の間で相対的に移動可能に支持されていてもよい。この場合、そのような支持機構によってカバー部材２０を移動させることによって、容易に貼付ローラ１２を紙管１００に接近及び離反させることができる。
【００６１】
また、カバー部材２０は、紙管１００の軸線方向についても相対的に移動可能に支持されていてよい。この場合、そのような支持機構によってカバー部材２０を移動させることによって、紙管１００の軸線方向に容易に両面粘着テープＤＳの貼付が行える。
【００６２】
カバー部材２０が、紙管１００の軸線方向に相対的に移動可能に支持される場合には、貼付ローラ１１が両面粘着テープＤＳの裏面を紙管１００に対して貼付する際に貼付ローラ１１と紙管１００とが互いに転がり合う速度と、カバー部材２０が紙管１００の軸線方向に移動する速度とが、互いに関連付けられるのがよい。例えば、貼付ローラ１１と紙管１００とが互いに転がり合う速度と、カバー部材２０が紙管１００の軸線方向に移動する速度とを、所定の値（比）に設定することで、紙管１００に螺旋状に両面粘着テープＤＳを容易に貼付することができる。この場合、当該所定の値（比）に対応する角度θだけ傾斜する傾斜姿勢で、カバー部材２０が紙管１００に対して当接されることが好ましい（図４参照）。
【００６３】
なお、以上に説明した実施の形態では、円筒状の紙管１００を対象物としたが、プラスチック材料からなるプラスチックコアが対象物であってもよい。また、対象物は、紙管１００のような円筒状の芯材である必要はなく、円筒状の芯材に巻き付けられたウェブ材料でもよい。更には、円筒状ではなく、例えば表面が平らな対象物であってもよい。
【符号の説明】
【００６４】
１  両面粘着テープ貼付装置
１０  テープ保持シャフト
１１  貼付ローラ
１１Ａ  軸部
１２  巻取ローラ
１２Ａ  軸部
１２Ｂ  固定孔
１３  仲介シャフト
２０  カバー部材
２０Ａ  本体部
２０Ｂ  蓋部
２２  第１板ばね
２４  第２板ばね
２６  第３板ばね
２８  第４板ばね
４０  カッター部
５０  回り止め機構
５１  被係止部
５２  回り止め爪
１００  紙管
ＤＳ  両面粘着テープ
ＲＰ  剥離紙
【図１】
2015124055.tif 000003
【図２】
2015124055.tif 000004
【図３】
2015124055.tif 000005
【図４】
2015124055.tif 000006